(57)【要約】  吸収性物品用の外側カバーは、吸収性インサートの吸収性に加えて、吸収能力を有する。外側カバーは２つ以上の層を有することができ、これらの少なくとも１つは液体の吸収能力を有している。他の層は疎水性であってもよい。外側カバーは全体として、通気性であり、水不浸透性であり得る。外側カバーは、５〜ｌ００ｇの等浸透圧Ｎａｃｌ溶液（０．９％）の吸収遠心分離保持能力（出願において定義された）、及び着用者に面する層の着用者に面する表面が０．５秒において７５度未満のＤＡＴ接触角を有している。
2013536002.tif 000002
【特許請求の範囲】
【請求項１】
吸収性物品用の外側カバーであって、
着用者に面する表面を有する第１の着用者に面する層、及び
第２の衣類に面する層
を備え、
前記外側カバーは、５〜１００ｇの吸収能力を有しており、
前記第１の着用者に面する層の前記着用者に面する表面は、０．５秒において約７５度未満のＤＡＴ接触角を有している、外側カバー。
【請求項２】
前記第２の衣類に面する層は、疎水性である、請求項１に記載の外側カバー。
【請求項３】
前記外側カバーは、全体として１，２００ｇ／ｍ２／２４ｈｒ〜１５，０００ｇ／ｍ２／２４ｈｒのＷＶＴＲを有している、請求項１又は２に記載の外側カバー。
【請求項４】
前記外側カバーは、全体として３，０００ｇ／ｍ２／２４ｈｒ〜１０，０００ｇ／ｍ２／２４ｈｒのＷＶＴＲを有している、請求項３に記載の外側カバー。
【請求項５】
前記第１の着用者に面する層の前記着用者に面する表面は、約３．５ｍＪ／ｍｍ２未満の表面エネルギーの非極性成分を有している、請求項１に記載の外側カバー。
【請求項６】
前記着用者に面する表面は、約３．０ｍＪ／ｍｍ２未満の表面エネルギーの非極性成分を有している、請求項５に記載の外側カバー。
【請求項７】
前記着用者に面する表面は、約２．５ｍＪ／ｍｍ２未満の表面エネルギーの非極性成分を有している、請求項６に記載の外側カバー。
【請求項８】
前記第１の着用者に面する層の前記着用者に面する表面は、１秒において約７０度未満のＤＡＴ接触角を有している、請求項１〜７のいずれか一項に記載の外側カバー。
【請求項９】
前記第１の着用者に面する層の前記着用者に面する表面は、１秒において約４５度未満のＤＡＴ接触角を有している、請求項１〜８のいずれか一項に記載の外側カバー。
【請求項１０】
前記第１の着用者に面する層は、１〜１５秒のストライクスルー時間を有している、請求項１〜９のいずれか一項に記載の外側カバー。
【請求項１１】
前記第１の着用者に面する層及び前記第２の衣類に面する層の間に置かれた第３の層
を更に備え、
前記第３の層は、疎水性である、請求項１〜１０のいずれかに記載の外側カバー。
【請求項１２】
前記第２の衣類に面する層は、耐水性化合物により被覆された外側表面を有している、請求項１〜１１のいずれか一項に記載の外側カバー。
【請求項１３】
前記耐水性化合物は、ポリテトラフルオロエチレン、フッ化炭素誘導体、疎水性シリコーンポリマー、疎水性フッ素化ポリマー、及びこれらの組み合わせからなる群から選択される、請求項１２に記載の外側カバー。
【請求項１４】
吸収性インサート、及び
請求項１〜１３のいずれか一項に記載の外側カバー
を備え、
前記外側カバーは、ゼロより高くかつ前記吸収性インサートの吸収能力より低い吸収能力を有している、吸収性物品。
【発明の詳細な説明】
【技術分野】
【０００１】
本開示は、概して用の外側カバー、より具体的には液体吸収能力を有している、外側カバーに関する。
【背景技術】
【０００２】
着用者の体に着ける吸収性物品は、尿、糞便、又は経血などの体外排せつ物の吸収に使用されることが。吸収性物品は、用便のしつけができていない幼児、又は病気若しくは虚弱に基づく失禁に悩んでいる成人若しくは子供、又は月経中の女性により使用されることもある。吸収性物品は、使い捨て若しくは再利用可能、又はこれら２つの組み合わせであってもよい。例えば、吸収性物品は体液を集め封じ込めるための使い捨て吸収性インサート、及び使い捨て吸収性インサートを使用中着用者の体の近くに保持する再利用可能な外側のカバーを有してもよい。
【０００３】
使い捨て吸収性インサートは、すべての体排せつ物を捕捉するよう意図されているであろうが、排せつ物のいくらかの量はインサートにより吸収されないか、又は直ちには吸収されないことがある。例えば、インサートの吸収能力は、インサートの少なくとも一部において凌駕されていることがあり、又は排せつ物は、インサートの最高吸収速度を超える速さで放出されることがあり、又は着用者の体に対するインサートの位置は、少量の体液がインサートに向かわずむしろインサートを越えて外側のカバーに移動するようになっていることがある。このような状況においては、外側カバーがこれらの排せつ物を吸収性物品中に封じ込めておくことが望ましいであろう。封じ込めは、例えば、着用者の衣服、介護者の衣服、寝具類、家具などのような、着用者の周囲に近い表面の汚れを阻止することができる。
【０００４】
このような遊離した物質を吸収性物品中に封じ込める１つの方法は、疎水性の外側カバーを使用し、それを着用者に、特に弾性の脚ベルト及び腰ベルトによるなどして、脚及び腰にきつく固定することである。しかし、液体又は半液体の排せつ物は、疎水性材料の端部に沿ってたまりを作り集まることがあり、脚又は腰ベルトにおけるいかなる間隙も漂っている排せつ物の漏らしてしまう。更に、きつい締め付けは居心地が悪く、着用者の動きを制限し、皮膚に赤い跡を残し又は皮膚を擦りむき、外側カバーの１つのサイズがさまざまな範囲の着用者の体型及びサイズに適合する適応性を制限し、又は他の制限を有するであろう。
【発明の概要】
【発明が解決しようとする課題】
【０００５】
柔軟性があり、着用者に心地よく、かつ吸収性インサートにより吸収されない排せつ物を吸収性物品中に封じ込める、吸収性物品用の外側カバーの必要性が依然として存在する。
【課題を解決するための手段】
【０００６】
幾つかの態様においては、本発明は吸収性物品用の外側カバーに関する。外側カバーは、着用者に面する表面を有する第１の着用者に面する層、及び衣類に面する第２の層を備えてもよい。外側カバーは５〜１００ｇの吸収能力を有することができ、着用者に面する層の第１の着用者に面する表面は、０．５秒において約７５度未満のＤＡＴ接触角を有している。第２の衣類に面する層は疎水性であってよい。外側カバーは全体として、１，２００ｇ／ｍ２／２４ｈｒ〜１５，０００ｇ／ｍ２／２４ｈｒ、又は３，０００ｇ／ｍ２／２４ｈｒ〜１０，０００ｇ／ｍ２／２４ｈｒのＷＶＴＲを有することができる。着用者に面する層の第１の着用者に面する表面は、約３．５ｍＪ／ｍｍ２未満の、又は約３．０ｍＪ／ｍｍ２未満の、又は約２．５ｍＪ／ｍｍ２未満の表面エネルギーの非極性成分を有することができる。着用者に面する層の第１の着用者に面する表面は、約７０度未満の、又は約４５度未満の１秒におけるＤＡＴ接触角を有することができる。第１の着用者に面する層は、約１５秒未満の、又は約１０秒未満の、又は１〜１５秒のストライクスルー時間（strikethrough time）を有することができる。外側カバーは、着用者に面する第１の層、及び衣類に面する第２の層の間に配置された、第３の層を備えることができる。第３の層は、存在する場合には、疎水性であってもよい。
【０００７】
他の態様においては、本発明は吸収性物品用の外側カバーであって、単一層又は材料のラミネートからなる外側カバーに関する。外側カバーは、着用者に面する第１の表面、及び衣類に面する第２の表面を備えてもよい。外側カバーは５〜１００ｇの吸収能力を有してもよい。第１の着用者に面する表面は、０．５秒において約７５度未満のＤＡＴ接触角を有してもよい。第２の衣類に面する表面は疎水性であってもよい。外側カバーは、１，２００ｇ／ｍ２／２４ｈｒ〜１５，０００ｇ／ｍ２／２４ｈｒ、又は３，０００ｇ／ｍ２／２４ｈｒ〜１０，０００ｇ／ｍ２／２４ｈｒのＷＶＴＲを有してもよい。外側表面は、耐水性化合物によって被覆されてもよい。耐水性化合物は、存在する場合には、ポリテトラフルオロエチレン、フッ化炭素誘導体、疎水性シリコーンポリマー、疎水性フッ素化ポリマー及びこれらの組み合わせからなる群から選択されてもよい。
【０００８】
更に他の態様においては、本発明は吸収性インサート及び外側カバーを備える吸収性物品に関し、外側カバーは、ゼロより高くかつ吸収性インサートの吸収能力より低い吸収能力を有している。
【図面の簡単な説明】
【０００９】
【図１】例示的な吸収性物品の平面図。
【図２】例示的なファスナーの概略図。
【図３】例示的な吸収性物品の一部の透視図。
【図４】曲げ剛性試験における上部可動試験用締付具に使用される、プランジャブレードの正面図。
【図５】曲げ剛性試験における上部可動試験用締付具に使用される、プランジャブレードの側面図。
【図６】曲げ剛性試験における下部固定試験用締付具の側面図。
【発明を実施するための形態】
【００１０】
本明細書で使用する場合、用語「吸収性物品」は、体外排せつ物を吸収し封じ込める用具を指し、より具体的には、着用者の体に当て又は着用者の体に近接して配置し、体から排出されるさまざまな排せつ物を吸収し封じ込める用具を指す。代表的な吸収性物品としては、おむつ、トレーニングパンツ、プルオン又はパンツ型のおむつ（すなわち、米国特許第６，１２０，４８７号に例証されているような、予備成形された腰部開口部及び脚部開口部を有するおむつ）、再締結可能なおむつ、失禁用ブリーフ及び下着、おむつホルダー及びライナー、生理用ナプキン及びパンティーライナーなどの女性用生理衣類などが挙げられる。吸収性物品は、使い捨て又は再利用可能であってもよい。
【００１１】
本明細書で使用する場合、用語「吸収性インサート」は、体外排せつ物を受ける又は封じ込めるために使用される吸収性物品の構成要素を指し、使用中に吸収性物品に取り外し可能に付随する。例えば、吸収性インサートは、所定の位置に押し込まれてよく、又は機械的ファスナー、接着剤、凝集剤等によって、吸収性物品のある部分に取り外し可能に取り付けられてもよい。吸収性インサートは、使い捨て又は再利用可能であってもよい。
【００１２】
本明細書において使用する場合、「使い捨て」は、１回又は連続した１回の使用期間使用され、次いで廃棄されることが意図された物品又は物体を指す。使い捨て物品は、きれいにする、修理する、ないしは別の方法で再利用に備えることは意図されていない。対照的に、再利用可能な物品は、少なくとも２回の使用が意図されており、また数週間又は数カ月間などの長期間にわたる反復使用が意図されることがある。再利用可能な物品は、きれいにされる、修理される、ないしは別の方法で修復されてもよい。例えば、再利用可能な物品は、使用され、洗濯され、そして再利用されることがある。単一の物品は、使い捨て構成要素及び再利用可能な構成要素を含むことがある。例えば、吸収性物品は、再利用可能な外側カバー及び使い捨ての吸収性インサートを備えることができる。
【００１３】
本明細書において使用する場合、「着用者に面する」又は「内側」は、通常の使用を意図して吸収性物品が着用者に適用される場合に、吸収性物品又は吸収性物品の構成要素の着用者の体に最も近い側又は表面を指す。対照的に、「衣類に面する」又は「外側」は、通常の使用を意図して吸収性物品が着用者に適用される場合に、吸収性物品又は吸収性物品の構成要素の、着用者に面する側とは反対で、もし着用者が吸収性物品の上に衣服を着用している場合には、着用者の衣服に最も近い側又は表面を指す。
【００１４】
本明細書で使用する場合、「親水性」は、これらの表面に沈着した水性液体（例えば、水性体液）によってぬれることが可能な表面を表す。親水性及び湿潤性は、通常は、不織布上の接触角により画定される。以下に記載の動的吸水試験（Dynamic Absorption Test）により０．２秒において測定される、液体と表面との間の接触角が９０°未満の場合、表面は液体によりぬれる（すなわち親水性）と言われる。逆に、以下に記載の動的吸水試験により０．２秒において測定される液体と表面との間の接触角がもし９０°を超えるならば、表面は「疎水性」であると考えられる。
【００１５】
本明細書において使用する場合、「インサルト（insult）」は、物品の体外排せつ物への暴露を指し、イベント又は暴露とも言われることがある。吸収性インサートは、１回のインサルト、例えば１回の排便後に交換又は廃棄されてもよい。吸収性インサートは、数回の別個の排尿及び／又は排便などの数回のインサルト後に、交換又は廃棄されてもよい。
【００１６】
本明細書において使用する場合、「外側カバー」は、吸収性物品を着用者の体に対して又はその近傍に保持するために使用される吸収性物品の構成要素を指す。外側カバーは、吸収性インサートを着用者に若しくは吸収性物品に、又は双方に対して定位置に保持することもできる。外側カバーは、１つ以上の層又は構成要素を有してもよい。外側カバーが複数の層又は構成要素を備える場合には、用語「外側カバー」は、通常の使用中、すなわち製造者の指示に従う使用中において、吸収性インサート及び吸収性物品を着用者の体に対して又はその近傍に保持するために取り付けられたすべての層又は構成要素をまとめて指す。
【００１７】
図１に示すように、吸収性物品１０は、全体として又は部分的に、外側カバー１２及び吸収性インサート１４により形成されてもよい。外側カバー１２は、例えば着用者の脚及び胴体を包み込むことにより、吸収性物品１０を着用者の体に保持するために役立ち得る。吸収性インサート１４は、着用者により吸収性物品１０に排出された尿、糞便、又は経血などの体外排せつ物を吸収し封じ込めるために役立ち得る。外側カバー１２及び吸収性インサート１４は、それぞれ独立して、再利用又は使い捨てが可能である。例えば、吸収性物品１０は、再利用可能な外側カバー１２及び使い捨て吸収性インサート１４を有してもよい。使い捨て吸収性インサート１４が汚れた場合には廃棄してよく、新しい使い捨て吸収性インサート１４を再利用可能な外側カバー１２に取り付けてもよい。使い捨て外側カバー１２及び再利用可能な吸収性インサート１４、又は外側カバー１２及び吸収性インサート１４が両方とも再利用可能若しくは両方とも使い捨てである吸収性物品１０を有することも可能である。
【００１８】
外側カバー１２は、吸収性物品１０の着用者へのぴったりした着用を助ける、伸縮性後部腰バンド１６、伸縮性前部腰バンド１８、又は伸縮性脚バンド２０などの弾性要素を備えてもよい。外側カバー１２は、腰部開口部を形成するために、永久的にまたは解放できるようにランディングゾーン（landing zone）２４と結合することができるファスナー２２を備えてもよい。ファスナー２２は、これらに限定されないが、接着剤、凝集剤、留め金、ひも、チャック、ボタン、面ファスナー、フックとフック（hook-and-hook）、タブとスロット（tab-and-slot）、磁石、縫込み（sewn stitches）又はこれらファスナーの組み合わせを含む、ほとんどの任意のファスナー系を備えてもよい。ランディングゾーン２４は、存在する場合には、ファスナー２２を受容するよう適合されてもよい。例えば、ファスナー２２はフックを備えてもよくランディングゾーン２４はループを備えてもよく、又はファスナー２２は付着物を備えてもよくランディングゾーン２４は被着物を備えてもよく、又はファスナー２２はボタン穴を備えてもよくランディングゾーン２４は１つ以上のボタンを備えてもよい。ランディングゾーン２４は、図１に示すように、吸収性物品１０の衣類に面する表面に配置されてもよい。しかし幾つかの実施形態においては、ランディングゾーン２４は、吸収性物品１０の着用者に面する表面上に配置されてよく、又は吸収性物品１０の衣類に面する表面と着用者に面する表面との間に配置された層上に配置されてもよい。例えば、ファスナー２２は吸収性物品１０の内側に折られてランディングゾーン２４に接触してよく、又はファスナー系は、機能するためにファスナー２２とランディングゾーン２４との間の直接接触が要求されない磁石などの要素を含んでもよい。
【００１９】
外側カバー１２は、更に１つ以上のコネクター２６備えてもよい。コネクター２６は、吸収性インサート１４を外側カバー１２に永久的に又は解放可能なように結合するために選択されてもよい。コネクター２６には、上に記載の任意のほとんどのファスナー系が含まれてもよい。例えば、コネクター２６は吸収性インサート１４の衣類に面する表面を、外側カバー１２の着用者に面する表面に接着する、接着剤を備えてもよい。吸収性インサート１４は、吸収性インサート１４の外側カバー１２への結合を容易にする、コネクター２８を備えてもよい。例えば、コネクター２８はフックを備えてもよくかつコネクター２６はループを備えてもよく、すなわちコネクター２６と２８は相補的凝集物を備えてもよい。幾つかの実施形態においては、吸収性インサート１４は１つ以上のコネクター２８を備え、外側カバー１２はコネクターを有さない。コネクター２８及び２６は、同じ又は異なる形状及び寸法であってもよい。幾つかの実施形態においては、外側カバー１２は明白なコネクター２６を有さなくてもよい。例えば、外側カバー１２又は外側カバー１２の内側表面４０は、吸収性インサート１４が外側カバー１２に対して移動しがちではないような、吸収性インサート１４に対する比較的高い静摩擦係数を有することができる。静摩擦係数は、高い摩擦係数を有するコーティング又は層を加えることによって、より粗い表面を作るために基材を機械的に変形させることによって、あるいは任意の他の手段によって、変えることができる。静摩擦係数は、以下に述べるように測定することができ、外側カバー１２の内側表面４０で、０．３〜０．４若しくは０．５、又はそれ以上に変化してもよい。
【００２０】
幾つかの実施形態においては、外側カバー１２は２つ以上のコネクター２６を備える。第１コネクター３０は、少なくとも第２コネクター３４と異なる形状又は寸法を有してもよい。幾つかの実施形態においては、吸収性インサート１４は２つ以上のコネクター２８を備える。第１コネクター３２は、少なくとも第２コネクター３６と異なる形状又は寸法を有してもよい。外側カバー１２の第１コネクター３０は、吸収性インサート１４の第１コネクター３２と、相補的、類似の、又は同じ、形状と寸法を有してもよい。外側カバー１２の第２コネクター３４は、吸収性インサート１４の第２コネクター３６と、相補的、類似の、又は同じ、形状と寸法を有してもよい。このような実施形態においては、吸収性インサート１４の外側カバー１２に対する適正な向きを、第１及び第２コネクターの異なる形状と寸法により示すこともできる。例えば、もし吸収性インサート１４が前側及び後側を有する場合には、コネクターの形状又は寸法が吸収性インサート１４の前が外側カバー１２の前の近傍に取り付けられるべきであることを示すこともできる。幾つかの実施形態においては、第１及び第２のコネクターの位置、寸法又は形状は、吸収性インサート１４が外側カバー１２と望ましい配置でのみ結合できるように、図２に示すように、相互作用する。図においては、第２コネクター３４及び３６は、第１コネクター３０及び３２と、吸収性インサート１４をしっかりと外側カバー１２に結合するようには実質的に相互作用しない。幾つかの実施形態においては、第１及び第２のコネクターはタイプが異なり、望ましい向きを除いては、吸収性インサート１４を外側カバー１２に固定することは可能ではない。例えば、第１コネクターは面ファスナーシステムを形成することがあり、第２コネクターは凝集システムを形成することがある。
【００２１】
吸収性インサート１４は、体を覆った領域で着用者が排せつするすべての排せつ物を捕捉し封じ込めることが意図されているであろう。しかし、幾らかの比較的少量の、尿などの体外排せつ物は、時として吸収性インサート１４を逃れ、外側カバー１２の着用者に面する表面に接触することがある。もし、外側カバー１２の着用者に面する表面が体液を吸収できなければ、体液は外側カバー１２の着用者に面する表面に沿って移動し、吸収性物品１０の周囲３８を破り、これにより衣服若しくは寝具類、カーペットなどの他の表面、又は介護者に漏れることがある。幾つかの実施形態においては、外側のカバー１２は吸収性インサート１４の吸収能力より低い吸収能力を有している。幾つかの実施形態においては、外側のカバー１２は、外側カバー全体を試験する場合に、５〜１００ｍＬ、又は２０〜６０ｍＬの、以下に記載する遠心分離保持能力（ＣＲＣ）試験により測定される液体吸収能力を持つことができる。ＣＲＣの結果は、「ユニット（unitized）」又は正規化形式で報告されてもよく、これによれば結果は試料の全測定保持能力を試験前の乾燥試料重量で除した値として報告される。外側カバー１２は、０．５ｇ／ｇを超える、又は０．５ｇ／ｇ〜１．０ｇ／ｇのユニットＣＲＣを有してもよい。
【００２２】
外側カバー１２は、材料の単一層などの単一の要素又は２つ以上の材料の結合したラミネートから構成されてもよい。図３に示すような幾つかの実施形態においては、外側カバー１２は、内側の着用者に面する層４４及び外側の衣類に面する層４６などの、類似の又は異なる性質を有する材料の２つ以上の別々の層から構成されてもよい。もし外側カバー１２が２つ以上の別々の層から構成される場合には、材料の２つ以上の別々の層は、吸収性物品１０の周囲３８又はその近く、例えば脚又は腰バンドの縫い目若しくは取付け部において互いに結合されてよく、又はコネクター２６若しくはファスナー２２が外側カバーの内側表面４０若しくは外側表面２２に取り付けられる場所のような、物品の１つ以上の別々の場所で結合されてもよい。もし外側カバー１２が２つ以上の層を備える場合には、各層は着用者に面する表面及び衣類に面する表面を有することが理解されるべきである。
【００２３】
幾つかの実施形態においては、外側カバー１２の内側表面４０は吸収性であり、通常の着用条件においては、吸収されたいかなる体液も外側カバー１２の外側表面４２、すなわち衣類に面する表面に到達し湿らすことはない。とはいえ、外側カバー１２は着用者の皮膚の過剰水和を防ぐため通気性であってもよい。皮膚の過剰水和は、吸収性物品１０と着用者の皮膚の間の局所的に高い湿度により引き起こされるか又は悪化することがある。過剰水和皮膚は、紅斑（赤み）、若しくはおむつ皮膚炎を呈することがあり、又は過剰水和でない皮膚より表皮剥離に対する抵抗がより低い（すなわちより低い引張強さによる）ことがある。尿、汗及び／又は他の排せつ物からの水蒸気を十分に吸収性物品１０の内部から退去させ皮膚の水和をより低レベルに保持するために、外側カバー１２は最低の通気性、すなわち、以下に記載する水蒸気透過率試験により測定される水蒸気透過率（ＷＶＴＲ）を有してもよい。外側カバー１２は、少なくとも約１２００ｇ／ｍ２／２４ｈｒのＷＶＴＲ、又は少なくとも約３０００ｇ／ｍ２／２４ｈｒのＷＶＴＲを有してもよい。例えば、周囲条件が高温及び／又は高湿度である場合、着用者がより活発（例えばより多い発汗）である、又は吸収性物品１０に比較的多量の尿、汗又は他の液体排泄物（例えば、夜通しの使用、又は使用者が「多量水分放出者」である場合）がある場合には、より高いＷＶＴＲが役立つことがある。したがって、少なくとも約１２００ｇ／ｍ２／２４ｈｒのＷＶＴＲは、通常の使用で役立ち得る外側カバーを意味してよく、少なくとも約３０００ｇ／ｍ２／２４ｈｒのＷＶＴＲは、より厳しい条件下で役立ち得る外側カバーを意味してもよい。
【００２４】
場合によっては、高すぎる通気性には、物品の衣類に面する表面上又は衣類の上の結露のような望ましくない影響がある場合がある。この現象の防止に役立つために、外側カバー１２は約１５，０００ｇ／ｍ２／２４ｈｒ未満の、又は１０，０００ｇ／ｍ２／２４ｈｒさえものＷＶＴＲを有してもよい。より低い最大ＷＶＴＲは、比較的高い周囲温度に比べて漏れる水蒸気がより多くの結露を生成する、より低い周囲温度のような厳しい条件下で、役立ち得る外側カバーを意味する。
【００２５】
単一層外側カバー材の外側表面４２は、疎水性であってもよい。外側表面４２の疎水性は、例えば、基材における繊維／ヤーンの化学若しくは直径の選択、ヤーンが織られる若しくは編まれる方法、又はヤーン、完成材料若しくはこの両方に適用するコーティング若しくは他の処理方法に、由来する。例えば、外側表面４２は、ポリテトラフルオロエチレン（ＰＴＦＥ又はＴＥＦＬＯＮとしても公知）、フッ化炭素誘導体（例えば米国特許第３，５７４，７９１号に記述されているＳＣＯＴＣＨＧＡＲＤとしても公知）、又は疎水性シリコーンポリマー若しくはフッ素化ポリマー（例えば米国特許第７，６２６，０７３号に記載されたものなど）などの耐水性化合物を使用する、ブレンド（ミクロ又はナノファイバーのように）、コーティング、又は別の処理を受けてもよい。材料の２つ以上の層を備える外側カバーの実施形態においては、衣類に面する層４６（すなわち最外側層）、若しくはそのどちらかの表面は疎水性であるか、又は本明細書に記載される任意の処理若しくは方法により疎水性となるよう処理されてもよい。あるいは、内側層４４の衣類に面する表面は疎水性となるよう処理されてよく、又は第３の疎水性の層が外側カバー１２の内側層４４及び外側層４６の間に配置されてもよい。
【００２６】
外側カバー１２の内側層４４若しくは内側表面４０は、親水性となるように、又はその親水性を増加させるように処理されてもよい。例えば、内側層４４若しくは内側表面４０は、親水性を付与する若しくは改良する界面活性剤又は他のコーティング剤により処理されてもよい。例えば、内側層４４又は内側表面４０は、米国特許出願公開第２００９／００４８５７１号に記載のナノ粒子を備える溶液により処理されてもよい。溶液はフィルム形成ポリマー、湿潤剤、及び約０．００１重量％〜約４０重量％のナノ粒子の組成物を備えてもよい。ナノ粒子はアルミナ、シリカ、及びこれらの組み合わせからなる群から選択されてもよい。ナノ粒子は約１〜約７５０ナノメートルの粒径を有してもよい。フィルム形成ポリマーのナノ粒子に対する重量比は約１：１〜約１：３０であってもよい。例示的なフィルム形成ポリマーとして、ポリアミン、四級化されたポリアミン、双極性イオンポリマー；ポリカルボキシラート；ポリエーテル；ポリヒドロキシル化ポリマー；ポリホスホナート及びポリホスファート；ポリマーキレート剤；エトキシル化又はアルコキシル化ポリアミン；ポリカルボキシル化ポリアミン；水分散性ポリエーテル；ポリサッカライドを含む水分散性ポリヒドロキシル化群又はポリマー；水分散性ポリカルボキシラート；カルボキシラート、スルホナート、スルファート、ホスファート、ホスホナート、及びこれらのポリマーなどの水分散性アニオン群；カルボキシラート、スルホナート、スルファート、ホスファート、ホスホナート、及びこれらのポリマーなどのアニオン基を含む分散性ポリスチレン；アミン、四級アミン、アミンオキシド、及びこれらの組み合わせの基を含む水分散性ポリマー；水分散性双極性イオン群及びこれらのポリマー；水分散性アミド及びポリアミド；並びにビニルイミダゾール及びビニルピロリドンの水分散性ポリマー及びコポリマー；上記のポリマー及びブロックコポリマーの組み合わせが挙げられるが、これらに限定されない。
【００２７】
別の実施例として、内側層４４又は内側表面４０は、米国特許第７，５２１，５８７号に記載されているように、親水性モノマー及びラジカル重合開始剤で処理されてもよい。モノマーは、一般式Ｒ１Ｒ２Ｃ＝ＣＲ３Ｒ４（Ｒ１及びＲ２は好ましくは水素原子である）の少なくとも１つの不飽和二重結合を含んでもよい。幾つかの実施形態においては、親水性モノマーは塩を生成するために酸又は塩基と反応できる基を備える。好適なモノマーの例として、アクリル酸及びその誘導体（例えば、メタクリル酸、エチルアクリル酸）、スチレンスルホン酸及びその誘導体、酢酸ビニル、無水マレイン酸、及びビニルピリジンが挙げられる。光による活性化の際には、反応開始剤は反応性のラジカルを生成することも可能であり得る。好適なラジカル重合開始剤の例として、ベンゾフェノン及びその誘導体、過酸化ベンゾイル、又はアゾビスイソブチロニトリル（ＡＩＢＮ）が挙げられる。コーティング溶液は、親水性モノマーの単独重合を抑える鉄（ＩＩ）塩、銅（ＩＩ）塩、又はこれらの混合物のような、薬剤を更に備えてもよい。繊維に化学的にグラフトされた親水性ポリマーを形成するために、コーティング溶液を繊維に適用し、コーティングされた繊維をＵＶ−Ａ光のような紫外線に暴露してもよい。
【００２８】
幾つかの実施形態においては、内側層４４又は外側カバー１２の内側表面４０は、親水性を増加するために処理されてよく、そして外側層４６又は外側カバー１２の外側表面は４２は疎水性を増加するために処理されてもよい。本明細書に説明する例示的な親水及び疎水処理に加えて、実質上、任意の親水又は疎水処理を使用することが可能である。例えば、外側カバー１２の再利用を意図する場合、又はコーティング剤若しくは処理剤が外側カバー１２の着用者に移る可能性を下げるためには、耐久性のある処理が選択されてもよい。
【００２９】
外側カバー１２の内側表面４０は、本明細書において開示される動的吸水試験によって測定される０．５秒における約９０度未満、又は約７５度未満の接触角を有してもよい。０．５秒における接触角は、約４５度〜約９０度の範囲であってもよい。外側カバーは、１．０秒において約８０度未満、又は約４５度未満の接触角を有してもよい。上に説明した処理に加えて、以下に説明するように、表面の３次元性の増加が材料の接触角の低減につながる可能性がある。例えば通気性の増加のために行われることがある表面の多孔性又は毛細管現象の増大は、材料の接触角の低減にもつながる可能性がある。
【００３０】
外側カバー１２の内側表面４０は、約１５秒未満、約１０秒未満、又は約１秒〜約１５秒の、本明細書に開示される方法により測定されるストライクスルー時間を有してもよい。短いストライクスルー時間は、液体の外側カバー１２へのより速い浸透を意味し、これは外側カバー１２を逃れ環境を汚す自由液体を減らす。
【００３１】
外側カバー１２の内側表面４０は、本明細書に開示される表面自由エネルギー試験により測定される、約３．５未満、約３．０未満、又は約２．５ｍＪ／ｍｍ２未満の表面エネルギーの非極性成分を有してもよい。より低い表面エネルギーの非極性成分は、油脂物質と接触した場合に、より少ない汚れと関連している可能性がある。尿は典型的には圧倒的に水性であるが、糞便及び他の排せつ物は油脂又は油脂物質を含んでいることがある。自家又はコインランドリーにおける洗濯設備などの家庭洗濯設備において典型的に使用される、通常の水系の洗濯において、非水性又は親油性の汚れを布地の表面から除去することは通常困難である。少なくとも初期において親油性の汚れに対してより抵抗性がある表面は、比較的低い非極性表面エネルギー構成成分、例えば１０ｍｊ／ｍｍ２未満の、又は５ｍｊ／ｍｍ２未満の、又は３ｍｊ／ｍｍ２未満の非極性表面エネルギー構成成分を有するであろう。
【００３２】
外側のカバー１２は着用者の皮膚を摩耗させないように、柔軟であってもよい。柔軟性の認知には変数の複雑な組み合わせが関与している。しかし、可撓性及び弾力性の表面に関しては、ミクロスケールの３次元形状を有する表面は、同じ材料組成物のより２次元形状より、柔軟であると認知されることもあり得る。３次元形状は、織布の種々の織り方により創られ、又は選択されることもあり得る。例えば、比較的高い縦糸及び横糸高さ、ヤーン間隔などを有する織布が創られ又は選択されることもあり得る。より詰まった織り方（すなわちヤーン間のより狭い間隔）は、表面エネルギーに対してより支配的な影響を有し得る。
【００３３】
外側カバー１２は着用者の外形に合わせることができる。外側カバーの材料は、カバーが着用者の骨格に適応しぴったりと一致し、着用者の体に応じて比較的小さい抵抗で動くようにするため、低い曲げ剛性を有してよく、これは着用者が不活発であろうと又は活発であろう心地よい適合に貢献することもできる。ぴったりした適合はまた、外側カバーの伸縮性の脚及び腰バンドを含み得る周囲領域が、着用者の体に対して望ましい向きと位置に留まることを可能にすることもできる。望ましい向きと位置の保持は、体外排せつ物の外側カバー１２からの漏えいを防ぐ、又は減らすこともできる。
【００３４】
上述のように、外側カバー１２は、材料の単一層又は２つ以上の材料の結合したラミネートなどの、単一要素から構成されてもよい。あるいは、外側カバー１２は、類似の又は異なる特性を有する材料の２つ以上の別々の層から構成されてもよい。もし外側カバー１２が材料の２つ以上の別々の層から構成される場合には、材料の２つ以上の別々の層は、物品の周囲又はその近く、例えば脚若しくは腰バンドの縫い目又は取付け部において、互いに結合されてもよく、又はファスナー２２若しくはコネクター２６などのファスナー要素が外側カバー１２の内側表面４０若しくは外側表面４２に取り付けられる場所のような物品の１つ以上の別々の場所で結合されてもよい。層の数又は「積層体」によらず、本明細書に記載の曲げ剛性試験により測定される、外側カバー１２材料の積層体の曲げ剛性は、約０．２０Ｎ、又は０．１９Ｎ未満であってよい。もし外側カバー１２が１つ以上の別々の（すなわち外側カバーの他の層から曲げ剛性試験を実施するための十分な面積にわたり分離可能な）層を含んでいれば、層の少なくとも１つの曲げ剛性は約０．１０Ｎ未満又は約０．０８Ｎ未満であってもよい。幾つかの実施形態においては、各層は約０．１０Ｎ又は０．０８Ｎ未満の曲げ剛性を有してもよい。
【００３５】
外側カバーの着用者に面する表面へのファスナー要素の追加においては、幾つかの実施形態において、インサート１４から外側カバー材料に伝達される荷重力を支える追加の支えを作るために、より大きい曲げ剛性が要求されることがある。インサートが外側カバー材料に取り付けられる外側カバー材料の積層体の「使用状態の」曲げ剛性は、約０．３０Ｎ未満であってもよい。
【００３６】
幾つかの実施形態においては、外側カバー１２は異なる部位において異なる層構造を備えてもよい。例えば、外側カバー１２は縦中心線４８を有してもよい。外側カバー１２は、縦中心線４８に沿って、ほぼ等しい長さの３つの部分を有してもよい。後部５０は、例えば、横方向に延びている後部縦縁部５６から外側カバー１２の長さのほぼ１／３を占めてもよく、前部５４は、横方向に延びている前部縦縁部５８から外側カバー１２の長さのほぼ１／３を占めてもよく、中央部５２は後部５０及び前部５４の間の外側カバー１２の長さのほぼ１／３を占めてもよい。
【００３７】
外側カバー１２の後部５０、中央部５２、及び前部５４は、望ましくは異なる特性を有することがある。例えば、通常後部５０及び前部５４にある着用者の、腰、股関節、及び尻の部位に相当する外側カバー１２の領域は、吸収性物品１０を着ける及び／又は着用中において、引張及び曲げ／ねじり応力を被ることがある。対照的に、中央部５２は、汚れたおむつに封じ込められた排せつ物の量に関連する、方向及び大きさの異なる応力を被ることがある。中央部５２はまた、吸収性物品１０の着用及び吸収性インサート１４の取替えを含む使用中において、排せつ物により汚される傾向が高い。それ故、例えば、中央部５２は、同程度の張力において後部５０及び／又は前部５４より小さい伸びが望ましいことがある。これにより、多量に汚れた吸収性インサート１４は、脚に沿って間隔が作られる程度まで外側カバー１２を垂れ下げさせないような、中央部５２の吸収性インサート１４のための追加の支持を提供しながら、後部５０及び／又は前部５４を、幅広い使用者の、又は使用者が成長し若しくは体重が増加する期間を通じた１人の使用者の、腰及び股関節に心地よく適合させることができる。脚に沿った間隙は、排せつ物の吸収性物品１２からの漏えいの可能性をより高めることがある。
【００３８】
幾つかの実施形態においては、外側カバーの異なる部分は、材料の異なる層に起因する異なる特性を有してもよい。層は、層の数、層の種類（例えば、材料、坪量、構造、処理など）、又は両方が異なってもよい。例えば、後部５０及び中央部５２は、実施例１に使用された材料などと同じ材料を備えてもよいが、後部５０においては材料の１つだけの層があってもよく、中央部５２においては材料の２つ以上の層があってもよい。これは、中央部５２においては、張力下におけるより低い伸びを、かつ着用者の排せつ物の中央部５２を通る着用者の衣服又は周囲への浸透に対する、抵抗の増大を提供するであろう。更に、中央部５２の層の１つ又は両方の層は、上に記載のように、例えば疎水処理により変性されてもよい。
【００３９】
幾つかの実施形態においては、中央部５２において前部５４及び／又は後部５０より、張力下におけるより大きい伸びをもたらすことが望ましいことがある。これは、例えば、排せつ物の吸収性インサート１４への吸収を機械的に束縛しないように中央部５２の拡張させ、前部５４及び／又は後部５０の伸びを制限し、着用者の腰及び股関節周りの持続した適合のためのよりよい負荷除去力をもたらすことができる。
【００４０】
幾つかの実施形態においては、外側カバー１２の１つ以上の部分は３層以上であってもよい。例えば、後部分５０、中央部分５２、前部分５４に加えて、外側カバー１２は脚部分６０を有してもよい。脚部分６０は中央部分５２の周囲３８にほぼ平行して走行してもよく、０ｍｍを超えるが外側カバー１２の中央部分５２の幅の最も狭い部分のほぼ１／３未満である距離、周囲３８から、外側カバー１２の縦方向に延びている各側面部６２の上に延びてもよい。もし周囲３８が中央部５２において曲線状である場合には、脚部分６０は通常周囲３８と同じ曲線状を有してもよい。外側カバー１２は、後部分５０において３つ以上の層を備えてもよい。脚部分６０は、もし存在すれば、幾らかの剛性を与え脚部分６０を着用者の体に対して保持し排せつ物の封じ込めに役立つように、３つ以上の材料の層を備えてもよい。幾つかの実施形態においては、後部分５０は布地の２つの層と固定バンドを備えてもよく、これは他の布地層より大きい負荷除去力を有する異なる布地又は弾性バンドであってもよい。他の実施形態においては、幾らかの剛性をランディングゾーン２４に付与するために、ランディングゾーン２４は３つ以上の層を備えてもよく、これはファスナー２２をランディングゾーン２４に押し付け結合することをより容易にすることもある。
【００４１】
外側カバー１２の１つ以上の部分は、外側カバー１２の内部の力を分散し、又は３次元の外観を提供するために、縦方向若しくは横方向又は両方向に、交互に変化する数の層を備えてもよい。
【００４２】
幾つかの実施形態においては、外側カバー１２は、脚における間隔の生成に対する抵抗を増加させ、吸収性インサート１４が中央部分５２において膨潤することを許すために、脚部分６０において２層を、中央部分５２において１層を備える。もし中央部分５２が脚部分６０と異なる場合には、脚部分６０は中央部分５２の下位部分であるので、中央部分５２それ自体は横方向に変化することが、理解されなければならない。
【００４３】
幾つかの実施形態においては、外側カバー１２は、後腰バンド１６及び／又は前腰バンド１８の耳部分６２とは異なる層を有する、後腰バンド１６及び／又は前腰バンド１８の中央部分６４を備える。中央部分６４は、横方向に延びる縦縁部５６又は５８に沿う、外側カバー１２の幅の１／３にほぼ相当する横幅を有してもよい。もし、横方向に延びる縦縁部５６又は５８が丸く、ないしは、明瞭な端を有さない場合には、中央部分６４は、縦中央部５２の横方向に最も狭い点の外側カバー１２の幅に相当する腰バンドのその部分と見なされる。耳部分６２は、横方向に延びる縦縁部５６又は５８に沿った、外側カバーの横中央部分６４の横方向の外側の部分である。耳部分６２及び横方向中央部分６４は、縦末端縁部５６から後部分５０のすべてに沿って、また縦末端縁部５８から前部分５４のすべてに沿って、縦方向に延びてもよい。耳部分６２は、横中央部分６４より少ない層を備えてもよい。例えば、耳部分６２は材料の単一層を備えてもよく、横中央部分６４は２つの層を備えてもよい。このような構成体は、中央部６４がより高い負荷除去力を提供することができ、これにより製品の長時間の持続した適合を改良すると同時に、耳部分６２が容易に伸長され、これにより製品の着用者への装着を容易にすることができる。
【００４４】
もちろん、前部分５４と後部分５０は、必要とはされないが、材料、材料の処理、又は使用される材料の層に関して似た構成体であってもよいことが理解されるべきである。本明細書においては、異なる構成体がさまざまな実施形態として記載されたが、異なる構成体の組み合わせ及び置換が明らかに想到される。
【実施例】
【００４５】
【表１】
2013536002.tif 000003
＊外側カバーの着用者に面する層の着用者に面する表面の上で測定した。
＊＊外側カバーの各種類に関して、外側カバー（ＯＣ）のすべての層を使用して、１０の試料を試験し、平均を報告した。外側カバーの曲げ剛性ピーク力は、本明細書に開示された曲げ剛性試験により測定した。また、試験物品に関して、外側層材料の曲げ剛性ピーク力を曲げ剛性試験により測定し、０．０７０ニュートンであることを見いだした。更に、試験物品に関して、内側ライナー材料の曲げ剛性ピーク力を曲げ剛性試験を用いて測定し、０．０５６ニュートンであることを見いだした。
【００４６】
実施例１は、両方共が、Ｋｏｓｈｔｅｘ，Ｌｏｓ  Ａｎｇｅｌｅｓ，ＣＡ，Ｕｎｉｔｅｄ  ＳｔａｔｅｓからコードＥ．ｎ．ｎ−１４として入手できる９３％モーダル及び７％スパンデックスから製造された、外側材料及び内側ライナー材料；Ｐｅｒｆｅｃｔｅｋ  Ｐｌｕｓ，Ｈｕｎｔｉｎｇｔｏｎ  Ｂｅａｃｈ，ＣＡ，Ｕｎｉｔｅｄ  Ｓｔａｔｅｓから縫い付け可能なフックとして入手できる、１００％ナイロンから製造された外側カバーフック；コード９６０ＥとしてＡｐｌｉｘ，Ｐａｒｉｓ，Ｆｒａｎｃｅから入手できる、外側カバーランディングゾーン；及びＴｏｕｃｈｔａｐｅ，Ｓｔ．Ａｕｇｕｓｔｉｎｅ，ＦＬ，Ｕｎｉｔｅｄ  Ｓｔａｔｅｓから標準縫込み材料として入手できる、１００％ナイロンから製造されたインサートランディングゾーン、を有する、本開示の実施形態により構成された外側カバーである。
【００４７】
実施例２は、２０１０年４月にｗｗｗ．ｇｄｉａｐｅｒｓ．ｃｏｍから購入した再利用可能おむつカバーｇＤｉａｐｅｒ（商標）である。ＳＫＵ番号は３１０４１で、サイズは大（１１．８〜１６．３ｋｇ（２６〜３６ポンド））である。製造者はｇＤｉａｐｅｒｓ，Ｉｎｃ．ｏｆ  Ｐｏｒｔｌａｎｄ，ＯＲである。
【００４８】
実施例３は、２０１０年４月にｗｗｗ．ｔｈｅｎａｔｕｒａｌｂａｂｙｃｏ．ｃｏｍから購入した、再利用可能なおむつカバーＧｒｏ  Ｂａｂｙ（商標）である。外側カバーは１つのサイズのみ入手可能である。製造者は、ＧｒｏＶｉａ（商標）（旧Ｇｒｏ  Ｂａｂｙ（商標）），ｏｆ  Ｂｏｚｅｍａｎ，ＭＴである。
【００４９】
実施例４は、２０１０年４月にｗｗｗ．ｔｈｅｎａｔｕｒａｌｂａｂｙｃｏ．ｃｏｍから購入した、Ｂｕｍｍｉｓ，Ｉｎｃ．，Ｍｏｎｔｒｅａｌ，Ｑｕｅｂｅｃ，Ｃａｎａｄａにより製造されたサイズＬの再利用可能なおむつカバー、Ｂｕｍｍｉｓ（商標）ＳｕｐｅｒＢｒｉｔｅである。
【００５０】
実施例５は、２０１０年４月にｗｗｗ．ｂａｂｙｓｏｒｇａｎｉｃｎｕｒｓｅｒｙ．ｃｏｍから購入した、Ｄｉａｐｅｒａｐｓ：Ｂａｂｙ’ｓ  Ｏｒｇａｎｉｃ  Ｎｕｒｓｅｒｙ，Ｇｒａｎａｄａ  Ｈｉｌｌｓ，ＣＡにより製造された、サイズ大の再利用可能なおむつカバー、Ｄｉａｐｅｒａｐｓ（商標）である。
【００５１】
修正された液体ストライクスルー（Liquid Strike-Though）
外側カバーの液体ストライクスルーは、Ｌｉｓｔｅｒ  Ｓｔｒｉｋｅ  Ｔｈｒｏｕｇｈの計器（Ｌｅｎｚｉｎｇ  Ｔｅｃｈｎｉｋ，Ａｕｓｔｒｉａから入手可能）、又はハーモナイズド試験方法（Ｈａｒｍｏｎｉｚｅｄ  Ｔｅｓｔ  Ｍｅｔｈｏｄ）ＷＳＰ  ７０．３（０８）に適合する任意の装置により測定する。計器を較正し、下に明記した点を除き製造者の使用説明書に従い操作する。試験液体は、蒸留水で調製した０．９％ｗ／ｖの塩化ナトリウムであった。
【００５２】
試験前に、２３℃±２℃、５０％±２％の相対湿度で試料を２時間、前処理する。外側カバー物品を開き、着用者に面する表面を下方に向けて置く。物品を平らに置けるように、存在する場合には、はさみを使用して脚部の伸縮素材を除く。カバーの縦軸に沿って、後部腰の先端の端とカバーの全長の中央点との中間の等距離の試料採取部位を選択する。もし、縫い目、留め金、ラベルなどの構造がこの部位にある場合には、これらを避けるために試料採取領域を隣接するエリアに移すことが許される。水圧機及び切断ダイ（１００ｍｍ平方±０．１ｍｍ及び８ｍｍ深さ）を用いて、被検査物の切断縁部を物品の縦軸及び横軸に平行かつ垂直にして、吸収性物品のすべての層を通して、このマークに中心を合わせて被検査物を切断する。被検査物はすべての層を１つの組成物として又は個別の層として試験することができる。
【００５３】
被検査物を、着用者に面する表面を上向きに、その端をプレートに対して平行かつ垂直にして、ストライクスループレートの下に置く（この実験では、被検査物の下に吸収紙を置かない）。漏斗がプレートの穴の中心上でかつプレートの表面から３０ｍｍ±１ｍｍ上にくるように、滴下漏斗の下にプレートを置く。５．００ｍＬ±０．０１ｍＬの試験液を漏斗の中に加え、次いでバルブを開け、流れをプレートの穴に送り込む。試験液がプレート電極の電気回路を完成し、タイマーを始動させる。液体が被検査物に浸透した時点でタイマーが止まる。ストライクスルー時間を０．０１秒まで記録する。
【００５４】
別々の外側カバーからの３つの同等の被検査物の分析を繰り返す。３つの値を平均し、０．０１秒まで報告する。
【００５５】
表面エネルギー
表面の表面エネルギーは、当業者に既知であろうさまざまな許容モデルによって表面エネルギーに変換することができる接触角の測定から導かれる。本開示において使用される１つのこのようなモデルは、Ｆｏｗｋｅｓ，Ｆ．Ｍ．：Ｉｎｄｕｓｔｒｉａｌ  ａｎｄ  Ｅｎｇｉｎｅｅｒｉｎｇ  Ｃｈｅｍｉｓｔｒｙ，ｖｏｌ．５６，ｎｕｍｂｅｒ  １２，ｐ．４０（１９６４）に記述されているＦｏｗｋｅｓの式であり、本明細書に援用する。
【００５６】
γｌｖ（１＋ｃｏｓ  θ）＝２（γｌｖｄγｓｖｄ）１／２＋２（γｌｖｐγｓｖｐ）１／２
式中、
θ接触角、
γｌｖ液体の表面張力、
γｌｖｄ被検査物表面に置かれる液体の表面張力の分散成分、
γｓｖｄ被検査物表面の表面エネルギーの分散成分、
γｌｖｐ被検査物表面に置かれる液体の表面張力の極性成分、
γｓｖｐ被検査物表面の表面エネルギーの極性成分、
水滴接触角は、ＦＴＡ  ２００ソフトウェア、バージョン２．１、ビルド３４０（Ｆｉｒｓｔ  Ｔｅｎ  Ａｎｇｓｔｒｏｍｓ，Ｐｏｒｔｓｍｏｕｔｈ，ＶＡから入手可能）を備えた、ＦＴＡ  ２００動的接触角分析器又は同等品を使用して測定する。試験液体として、Ｍｉｌｌｉ−Ｑ水処理システム（Ｍｉｌｌｉｐｏｒｅ  Ｃｏｒｐｏｒａｔｉｏｎ，Ｂｉｌｌｅｒｉｃａ，ＭＡ）を通して処理した精製蒸留水、及び９９％ジヨウ化メタン（Ｓｉｇｍａ−Ａｌｄｒｉｃｈ，Ｓａｉｎｔ  Ｌｏｕｉｓ，ＭＯ）を使用する。すべての測定を、一定温度（２５℃±１℃）及び湿度（３３％±２％）で行った。
【００５７】
試験前に、２５℃±１℃、３３％±２％の相対湿度で試料を２時間、前処理する。外側カバー物品を開き、着用者に面する表面を上方に向けて置く。物品を平らに置けるように、存在する場合には、はさみを使用して脚部の伸縮素材を除く。カバーの縦軸に沿って、後部腰の先端の端とカバーの全長の中央点との中間の等距離の試料採取部位を選択する。もし縫い目、留め金、ラベルなどの構造がこの部位にある場合には、これらを避けるために試料採取領域を隣接するエリアに移すことが許される。はさみを使用して、着用者に面する表面の１ｃｍ×３ｃｍの被検査物を、選択した部位から切り取る。被検査物を、隆起部がないように、着用者に面する表面を上に向けて、顕微鏡のガラスのスライドに接着して平らに乗せる。
【００５８】
ＦＴＡ  ２００を使用して、先端のとがっていない２７ゲージのステンレス鋼製針の末端部から精製水を７μＬぶら下げる。被検査物の表面が液滴に接触するまで、ゆっくり被検査物の表面を上げる。１２０画像／ｓの速さで画像が収集されるビデオ撮影は、液滴と被検査物が最初に接触する時点で、光信号により始動させられ、初めの１分間画像が収集され、一方液滴は離れ、続いて被検査物表面と平衡に達する。好ましくは、液滴の被検査物表面との接触の０．２秒後に接触角を測定する。置かれた試験液体の著しい、すなわち２．５％を超える浸透が０．２秒以内に起こる場合には、別の方法として接触角を０．０２秒の時点で測定する。接触角は、ＦＴＡ  ２００ソフトウェアにより自動的に測定される液滴の非球面トレーシングを使用して測定され、０．０１度まで報告される。
【００５９】
次に、上の手順を精製水の代わりに３μＬのジヨウ化メタンを使用して繰り返す。ジヨウ化メタンを使用する接触角を０．０１度まで報告する。
【００６０】
被検査物の幼児に面する表面の表面エネルギーを、表１に記載した定数を用いてＦｏｗｋｅｓの式を使用して計算し、０．００１ｍＪ／ｍ２まで記録する。
【表２】
2013536002.tif 000004
【００６１】
動的吸水試験
動的吸水試験は、試験液体が表面に接触し中へ吸収される際の試験液体の接触角の変化を測定することにより、被検査物表面への試験液体の吸収を測定する。水滴接触角は、ＦＴＡ  ２００ソフトウェア、バージョン２．１、ビルド３４０（Ｆｉｒｓｔ  Ｔｅｎ  Ａｎｇｓｔｒｏｍｓ，Ｐｏｒｔｓｍｏｕｔｈ，ＶＡから入手可能）を備えた、ＦＴＡ  ２００動的接触角分析器又は同等品を使用して測定する。すべての測定を、一定温度（２８℃±１℃）及び湿度（３３％±２％）で行う。これらの実験においては、試験液体はＭｉｌｌｉ−Ｑ水システム（Ｍｉｌｌｉｐｏｒｅ  Ｃｏｒｐｏｒａｔｉｏｎ，Ｂｉｌｌｅｒｉｃａ，ＭＡ）を通して処理した精製蒸留水で調製した、０．９％  ｗ／ｖの塩化ナトリウム（純度９９．９％）であった。
【００６２】
試験前に、２８℃±１℃、３３％±２％の相対湿度で試料を２時間、前処理する。外側カバー物品を開き、着用者に面する表面を上方に向けて置く。物品を平らに置けるように、存在する場合には、はさみを使用して脚部の伸縮素材を除く。カバーの縦軸に沿って、後部腰の先端の端とカバーの全長の中央点との中間の等距離の試料採取部位を選択する。もし縫い目、留め金、ラベルなどの構造がこの部位にある場合には、これらを避けるために試料採取領域を隣接するエリアに移すことが許される。はさみを使用して、着用者に面する表面の１ｃｍ×３ｃｍの被検査物を、選択した部位から切り取る。被検査物を、隆起部がないように、着用者に面する表面を上に向けて、顕微鏡のガラスのスライドに接着して平らに乗せる。
【００６３】
ＦＴＡ  ２００を使用して、先端のとがっていない２７ゲージのステンレス鋼製針の末端部から７μＬの試験液体をぶら下げる。被検査物の表面が液滴に接触するまで、ゆっくり被検査物の表面を上げる。１画像／０．１秒の速さで画像が収集されるビデオ撮影は、液滴と被検査物が最初に接触する時点で光信号により始動させられ、最初の３秒間画像を収集し、一方液滴は離れ、続いて被検査物表面と平衡に達する。接触角は、それぞれの画像についてＦＴＡ  ２００ソフトウェアにより自動的に測定される液滴の非球面トレーシングを使用して測定され、０．０１度まで報告される。
【００６４】
遠心分離保持能力（ＣＲＣ）試験
遠心分離保持能力（ＣＲＣ）試験は、０．９％  ＮａＣｌ食塩水溶液に３０分沈め、次いで遠心分離にかけた被検査物の液体保持能力（吸収能力）の測定である。試験は、Ｗｏｒｌｄｗｉｄｅ  Ｓｔｒａｔｅｇｉｃ  Ｐａｒｔｎｅｒｓ  Ｓｔａｎｄａｒｄ  Ｔｅｓｔ  Ｍｅｔｈｏｄ  ＷＳＰ  ２４１．２（０９），Ｇｒａｖｉｍｅｔｒｉｃ  Ｄｅｔｅｒｍｉｎａｔｉｏｎ  ｏｆ  Ｆｌｕｉｄ  Ｒｅｔｅｎｔｉｏｎ  Ｃａｐａｃｉｔｙ  ｉｎ  Ｓａｌｉｎｅ  Ｓｏｌｕｔｉｏｎ  ａｆｔｅｒ  Ｃｅｎｔｒｉｆｕｇａｔｉｏｎに基づいている。
【００６５】
分析には、被検査物を熱シール可能な、水浸透性の無穴不織布材料から作られたバッグに入れる。バッグ材料の規格は、ＷＳＰ  ２４１．２（０９）に示されている。試験する被検査物の長さ（Ｌ）及び幅（Ｗ）を測定する。２×Ｌ＋５０ｍｍにＷ＋２５ｍｍのバッグの材料を１枚切り取る。バッグの材料を幅を横切って半分に折り、２つの開いた端を端からほぼ３〜５ｍｍのところで熱シールする。完成したバッグはＬ＋２５ｍｍ×Ｗ＋２５ｍｍである。試料用のバッグに加えて、ブランクとして使用される同じ寸法のバッグを３つ準備する。
【００６６】
外側カバー材料試料の準備：外側カバー物品を開き、着用者に面する表面を下向きに置く。物品を平らに置けるように、存在する場合には、はさみを使用して脚部の伸縮素材を除く。カバーの縦軸に沿って、後部腰の先端の端とカバーの全長の中央点との中間の等距離の試料採取部位を選択する。もし縫い目、留め金、ラベルなどの構造がこの部位にある場合には、これらを避けるために試料採取領域を隣接するエリアに移すことが許される。水圧機及び切断ダイ（７６．２ｍｍ平方±０．１ｍｍ及び８ｍｍ深さ）を用いて、被検査物の切断縁部を物品の縦軸及び横軸に平行かつ垂直にして、物品のすべての層を通して、このマークに中心を合わせて被検査物を切断する。被検査物の乾燥重量を測定し、０．００１グラムまで記録する。被検査物のすべての層を適切な寸法のバッグに入れ、残っている開口端を熱シールする。各被検査物と同じものを３つ試験のために準備する。
【００６７】
全吸収性インサート試料の準備：試験前に、約２３℃±２℃、約５０％±２％の相対湿度で試料を２時間、前処理する。吸収性物品を、着用者に面する表面を上に向けて拡げて置く。はさみを使って、物品が平らに置けるように、物品の縦縁部に沿った任意の弾性体を約２ｃｍ間隔で切断する。吸収性インサートを１枚のアルミホイル上に置き、それを縦及び横軸に沿って切り、４枚の個別の被検査物とする。較正した秤を使用して、適切な寸法のバッグの風袋を量る。被検査物及び切断中にホイル上に落ちたすべての材料を量ったバッグに入れ、残っている開いた端を熱シールする。被検査物の乾燥重量を測定し、０．００１グラムまで記録する。この手順を繰り返し、残っている３つの被検査物の乾燥質量を得る。３つの同じ吸収性インサートを試験のために準備する。
【００６８】
全外側カバー試料の準備：全体の外側カバーの乾燥質量を測定し、０．００１グラムまで記録する。３つの同じ外側カバーを試験のために準備する。
【００６９】
試験の手順：幾つかのバッグ又は被検査物を収容するのに十分な大きさの平鍋を入手し、バッグ又は被検査物が完全に沈むことができる水準まで０．９％食塩水溶液を入れる。沈める前に、試験するバッグ又は被検査物を生理食塩水の表面に置き、１分間湿らす。溶液が被検査物により自由に吸収される間確実に試料を沈めておくために、バッグの端に置く重しが使用されてもよい。３０分後、バッグ又は被検査物を食塩水溶液から取り出し、直ちに２５０Ｇの遠心加速度にさらすことができる適した遠心分離器（Ｂｌｏｃｋ  Ｓｃｉｅｎｔｉｆｉｃ，Ｂｏｈｅｍｉａ，ＮＹから入手できるＣｌａｙ  Ａｄａｍｓ  Ｄｙｎａｃ  Ｃｅｎｔｒｉｆｕｇｅなど）のかごに被検査物を移す。着用者に面する表面が疎水性でない限り、着用者に面する表面が外側に面するように遠心分離器中で被検査物の方向を合わせ、それが疎水性である場合には、内側に向くよう並べなければならない。適切なバランスのため、同程度の重さの試料が互いに対向するようにバッグ又は被検査物を置く。バッグ又は被検査物を３分±１０秒間、２５０Ｇで遠心分離する。次にバッグ又は被検査物を取り出し、直ちに重さを量る。被検査物及びバッグ、ブランクのバッグ、又はバッグのない被検査物の湿潤質量を、０．００１グラムまで記録する。
【００７０】
遠心分離後の３つの湿潤ブランクバッグ質量の平均を計算し（ｍｂ）、被検査物がバッグなしで試験される場合には、この値を無視する。各被検査物（ｉ＝１、２、及び３）に関して、次の式を使用する質量分率（ｇ／ｇ）として表示される遠心分離保持能力（ｗｉ）を計算する。
【００７１】
ｗｉ＝（（ｍｗｉ−ｍｂ）−ｍｓｉ）／ｍｓｉ
式中、ｍｓｉは、グラムで表示される乾燥被検査物の質量であり、ｍｗｉは、グラムで表示される湿潤被検査物及びバッグの質量、又はバッグ無しの被検査物の質量である。吸収性インサートに関しては、切断し４つの個別の被検査物として試験する。乾燥被検査物の４つの個別の質量を合計してｍｓｉを得、遠心分離後の湿潤被検査物及びバッグの４つの個別の質量を合計してｍｗｉを得、遠心分離後の４つの平均湿潤ブランクバッグの質量を合計してｍｂを得る。これらの値を使用して、全遠心分離保持能力（ｗｉ）値を計算する。３回の反復について、平均遠心分離保持能力を計算し０．００１（ｇ／ｇ）まで報告する。
【００７２】
水蒸気透過度
水蒸気透湿度（ＷＶＴＲ）は、Ｐｅｒｍａｔｒａｎ−Ｗモデル１００Ｋ（ＭＯＣＯＮ、Ｍｉｎｎｅｓｏｔａ、ＭＮ）を使用して、ＥＤＡＮＡ／ＩＮＤＡ  Ｗｏｒｌｄｗｉｄｅ  Ｓｔｒａｔｅｇｉｃ  Ｐａｒｔｎｅｒｓ  Ｍｅｔｈｏｄ  ＷＳＰ  ７０．４（０８）に従って測定する。試験は、３７．８℃の試験装置温度、１２０ＳＣＣＭの窒素流速、及び２サイクル５分間の試験時間の標準モードの、ＷＳＰ標準試験により行なう。各セルを個別に６０％±１．５％の相対湿度（ＲＨ）に調節する。装置が適正に稼働していることを確認するために、試料を試験する前に標準参照フィルム（ＭＯＣＯＮのＳ／Ｎ  １００８ＷＫ０８９）を試験する必要がある。標準参照フィルムの結果は、ＭＯＣＯＮによって報告された値の±１０％以内でなければならない。
【００７３】
はさみ又はダイを使用して、被検査物を直径３５ｍｍに切る。外側カバーが複数層の場合、被検査物は複合体試料として試験する。試験では、外側カバーの通常皮膚に面する側を水に向けて配置する。ＷＶＴＲを、１ｇ／ｍ２／２４ｈｒまで、ｇ／ｍ２／２４ｈｒとして報告する。
【００７４】
摩擦係数
静摩擦係数は、以下の詳細に従い、ＡＳＴＭ  Ｍｅｔｈｏｄ  Ｄ  １８９４−０１を使用して測定することができる。この試験は、Ｄ  １８９４−０１に記載されている摩擦係数締付具及びそり（好適な締付具は、Ｉｎｓｔｒｏｎ  Ｃｏｒｐ．，Ｃａｎｔｏｎ，ＭＡから入手可能なＣｏｅｆｆｉｃｉｅｎｔ  ｏｆ  Ｆｒｉｃｔｉｏｎ  Ｆｉｘｔｕｒｅ  ａｎｄ  Ｓｌｅｄである）を取り付けた、コンピュータインターフェースを有する伸び引張試験機（好適な機器は、ＭＴＳ  Ｓｙｓｔｅｍｓ  Ｃｏｒｐ．，Ｅｄｅｎ  Ｐｒａｉｒｉｅ，ＭＮから入手可能であるＴｅｓｔｗｏｒｋｓ  ４  Ｓｏｆｔｗａｒｅを使用するＭＴＳ  Ａｌｌｉａｎｃｅである）による一定速度の下で実施する。試験機を、ＡＳＴＭ  １８９４−０１の図１．ｃで描かれているように、３２０造粒の研磨面を備えたステンレス鋼の平面を対象面として使用して構成する。ロードセルは、測定される力がセルの範囲の１０％〜９０％以内となるように選択する。引張試験機を、クロスヘッド速度を１２７ｍｍ／ｍｉｎ、及び全行程を１３０ｍｍにプログラムする。データを１００Ｈｚの速さで収集する。
【００７５】
試験用の被検査物を、その側部が外側カバーの縦軸に平行かつ垂直である、６．３５ｃｍ×６．３５ｃｍの正方形に切り取る。被検査物を、両面接着テープ（テープは、そりの表面を１００％覆うような十分に広いものでなければならない）を使用して、そりの発泡ゴム側に装着する。外側カバーの皮膚に面する表面が対象面に向き、外側カバーの縦軸がそりを引く方向と平行になるように、被検査物をそり上に置く。試料を装着したそりの質量を、０．１グラムまで記録する。各分析の間に、ステンレス鋼の平面の表面をイソプロパノールで洗浄する。吸収性インサートに対する静摩擦係数を測定するための対象面は、Ｃｌｏｐａｙ  Ｐｌａｓｔｉｃｓ  Ｐｒｏｄｕｃｔｓ  Ｃｏｍｐａｎｙ  ｏｆ  Ｍａｓｏｎ，ＯＨの１８ｇｓｍマットポリプロピレンフィルムである。
【００７６】
静摩擦係数を以下のように計算する。
【００７７】
静摩擦係数＝ＡＳ／Ｂ
ＡＳ＝初期ピークにおけるグラム力（ｇｆ）表示の最大ピーク力
Ｂ＝グラム表示のそりの質量
【００７８】
曲げ剛性試験
ピーク曲げ力及び全剛性は、測定される力がセルの限界の１０％〜９０％以内となるロードセルを使用して、コンピュータインタフェースを有する伸び引張試験機（好適な計器は、ＭＴＳ  Ｓｙｓｔｅｍｓ  Ｃｏｒｐ．，Ｅｄｅｎ  Ｐｒａｉｒｉｅ，Ｍｉｎｎｅｓｏｔａからの、Ｔｅｓｔｗｏｒｋｓ  ４．０ソフトウェアを使用するＭＴＳ  Ａｌｌｉａｎｃｅである）を使用し、一定速度で測定する。図４（正面図）及び図５（側面図）に示したプランジャブレード６００を、上部可動試験用締付具として使用する。図６に示す基部支持プラットフォーム７００を、下部固定試験用締付具として使用する。すべての試験を約２３℃±２℃及び約５０％±２％の相対湿度に保持された調湿された室で行なう。
【００７９】
プランジャ６００の構成要素は、アルミニウムなどの軽量材料から作製され、利用可能なロードセル容量を最大にする。シャフト６０１は、引張試験機に適合するように機械加工され、プランジャを安定させベース支持プラットフォーム７０４と直交する位置合わせを保持するようロッキングカラー６０２を有している。ブレード６０３は、６０８が１１５ｍｍの長さ、６０７が６５ｍｍの高さ、６０９が３．２５ｍｍの幅であり、連続半径が１．６２５ｍｍの材料接触末端部を有している。ブラケット６０４には、ブレードを水平にするために使用される止めねじ６０５と、調節後それを所定の場所に堅固に保持するための主止めねじ６０６が、取り付けられる。
【００８０】
下部締付具７００は、シャフト７０１とロッキングカラー７０２とを有している引張試験機に取り付けられる。２つの水平可動支持プラットフォーム７０４は、レール７０３上に載置されている。各試験表面７０５は、幅７０６が８５ｍｍ、長さ（図面の平面内）が１１５ｍｍであり、最小の摩擦係数を有しているように研摩されたステンレス鋼から作製される。各プラットフォームは、個々のプラットフォーム位置を読み取るデジタル式の位置モニター７０８及び調節後それらの位置をロックするための止めねじ７０７を有している。２つのプラットフォーム７０４は、間隙末端部において正方形であり、プレート末端部は、前側から後側まで平行でなければならない。２つのプラットフォームは、調節可能な間隙幅７１０を有する間隙７０９を形成する。
【００８１】
支持プラットフォーム７０４の上面と直交し、それらの間隙末端部に対してゆがみを示さないようにプランジャブレード６０３を正確に（±０．０２ｍｍ）そろえる。位置モニター７０８を使用し、プランジャブレード６０３が間隙内に正確に（±０．０２ｍｍ）中心合わせされた状態で、支持プラットフォーム７０４の２つの間隙末端部の間の間隙７１０を正確に１３．２５±０．０２ｍｍに設定する。プランジャブレード６０３下部から支持プラットフォーム７０４上面までのゲージ長を１５ｍｍに設定する。引張試験機をプログラムして、全距離３５ｍｍに対して、クロスヘッドを５００ｍｍ／ｍｉｎの速度で下げ、２００Ｈｚのデータ取得速度で力及び伸びのデータを収集し、圧縮試験を実施する。
【００８２】
試験前に、約２３℃±２℃、約５０％±２％の相対湿度で、２時間、前処理する。外側カバー物品を開き、着用者に面する表面を下方に向けて置く。物品を平らに置けるように、はさみを使用して脚部の伸縮素材を除く。縫い目、留め金、ラベルなどがないことを確かめ、物品の大部分を形成する材料を代表する試料採取領域の中心を見つけ印をつける。試料採取領域は、物品の後部／股領域に面して存在することが多い。水圧機及び切断ダイ（７６．２ｍｍ平方±０．１ｍｍ及び８ｍｍ深さ）を用いて、被検査物の切断縁部を物品の縦軸及び横軸に平行かつ垂直とし、吸収性物品のすべての層を通して、このマークに中心を合わせた被検査物を切り取る。
【００８３】
被検査物のすべての層を、着用者に面する表面が上に向いた状態で、間隙７０９を越えて、支持プラットフォーム７０４の表面上に平坦に置く。被検査物の約１／３がブレードの右にかつ２／３が左にくるように、ブレード６０３の下に被検査物１００９を配置する。被検査物を、それが採取された吸収性物品の横軸に相当する方向がブレードの長さ方向と平行になるように置く。ロードセルをゼロにして、引張試験機を起動しデータの取得を開始する。ソフトウェアをプログラムし、構成された力（Ｎ）対伸び（ｍ）カーブから最高ピーク曲げ力（Ｎ）を計算し、「横面上向き」として記録する。
【００８４】
着用者に面する側を上向きに保ちながら、被検査物を間隔７０９から取り除く。被検査物を９０°時計方向に回転し、被検査物の約１／３がブレードの右にかつ２／３が左にくるように、試験のために被検査物の新しいエリアを曝して、ブレード６０３の下に被検査物を配置する。ロードセルをゼロにして、引張試験機を起動しデータの取得を開始する。最高ピーク曲げ力（Ｎ）を「縦面上向き」として記録する。
【００８５】
着用者に面する側を上向きに保ちながら、被検査物を間隔７０９から取り除く。被検査物を９０°反時計方向へ回転し、かつ被検査物を左から右に向けてひっくり返し、着用者に面する表面が下に向くようにする。被検査物の約１／３がブレードの右にかつ２／３が左にくるように、試験のために被検査物の新しいエリアを曝して、ブレード６０３の下に被検査物を配置する。ロードセルをゼロにし、引張試験機を起動しデータの取得を開始する。最高ピーク曲げ力（Ｎ）を、「横面下向き」として記録する。
【００８６】
着用者に面する側を下向きに保ちながら、被検査物を間隔７０９から取り除く。被検査物を９０°反時計方向に回転し、被検査物の約１／３がブレードの右にかつ２／３が左にくるように、試験のために被検査物の新しいエリアをさらして、ブレード６０３の下に被検査物を配置する。ロードセルをゼロにし、引張試験機を起動しデータの取得を開始する。最高ピーク曲げ力（Ｎ）を「縦面下向き」として記録する。
【００８７】
「横面上向き」、「縦面上向き」、「横面下向き」、及び「縦面下向き」の力を加えて、被検査物の全剛性を計算する。全剛性を０．００１Ｎまで報告する。１０個の試料について、試験を繰り返し結果を記録する。平均全剛性を計算し、報告する。
【００８８】
本明細書に開示した寸法及び値は、記載された正確な数値に厳密に限定されるものとして理解されるべきでない。むしろ、特に断らないかぎり、そのようなそれぞれの寸法は、記載された値及びその値周辺の機能的に同等の範囲の両方を意味するものとする。例えば、「４０ｍｍ」として開示された寸法は、「約４０ｍｍ」を意味することを意図する。
【００８９】
相互参照されるか又は関連するすべての特許又は特許出願を含む、本願に引用されるすべての文書を、特に除外又は限定することを明言しないかぎりにおいて、その全容にわたって本願に援用するものである。いずれの文献の引用も、こうした文献が本願で開示又は特許請求されるすべての発明に対する先行技術であることを容認するものではなく、また、こうした文献が、単独で、あるいは他のすべての参照文献とのあらゆる組み合わせにおいて、こうした発明のいずれかを参照、教示、示唆又は開示していることを容認するものでもない。更に、本文書において、ある用語の任意の意味又は定義の範囲が、援用文献中の同じ用語の任意の意味又は定義と矛盾する場合には、本文書中で用語に与えられる意味又は定義が優先するものとする。
【００９０】
以上、本発明の特定の実施形態を例示、記載したが、本発明の趣旨及び範囲から逸脱することなく他のさまざまな変更及び改変を行い得る点は、当業者には明らかであろう。したがって、本発明の範囲に含まれるそのようなすべての変更及び改変を添付の特許請求の範囲において網羅するものとする。
【図１】
2013536002.tif 000005
【図２】
2013536002.tif 000006
【図３】
2013536002.tif 000007
【図４】
2013536002.tif 000008
【図５】
2013536002.tif 000009
【図６】
2013536002.tif 000010
【国際調査報告】
2013536002.tif 000011
2013536002.tif 000012
2013536002.tif 000013
2013536002.tif 000014
2013536002.tif 000015